(57)【要約】【課題】複数の電池を備える電池パックにおいて、各電池の並列接続と直列接続の切り替えのためのスイッチの誤動作による各電池の正極端子と負極端子の短絡を防止する。【解決手段】スイッチＳＷ１の一端が電池Ｂ１の一端に接続され、スイッチＳＷ１の他端が電池Ｂ２の一端に接続され、スイッチＳＷ２の一端が電池Ｂ１の他端に接続され、スイッチＳＷ２の他端が電池Ｂ２の他端に接続され、ダイオードＤのアノードが電池Ｂ１の他端に接続され、ダイオードＤ１のカソードが電池Ｂ２の一端に接続され、制御部１１が電池Ｂ１、電池Ｂ２の並列接続時、スイッチＳＷ１、ＳＷ２を導通させ、電池Ｂ１、Ｂ２の直列接続時、スイッチＳＷ１、ＳＷ２を遮断させる。【選択図】図１
2018125936.tif 000002
【特許請求の範囲】
【請求項１】
第１の電池と、第２の電池とを備える電池パックであって、
前記第１及び第２の電池の並列接続時に一端が負荷の一端に接続され、前記第１及び第２の電池の並列接続時並びに前記第１及び第２の電池の直列接続時に他端が前記負荷の他端と接続される前記第１の電池と、
一端が前記第１の電池の一端に接続され、他端が前記第２の電池の一端に接続される第１のスイッチと、
一端が前記第１の電池の他端に接続され、他端が前記第２の電池の他端に接続される第２のスイッチと、
前記第１及び第２の電池の並列接続時、前記第１及び第２のスイッチを導通させ、前記第１及び第２の電池の直列接続時、前記第１及び第２のスイッチを遮断させる制御部と、
前記第１の電池の他端と前記第２の電池の一端との間に接続されるダイオードと、
を備えることを特徴とする電池パック。
【請求項２】
請求項１に記載の電池パックであって、
一端が充電器に接続され、他端が前記第２の電池の他端と前記第２のスイッチの他端との接続点に接続される第３のスイッチを備え、
前記制御部は、前記第１及び第２の電池の並列接続時、前記第３のスイッチを遮断させ、前記第１及び第２の電池の直列接続時、前記第３のスイッチを導通させる
ことを特徴とする電池パック。
【請求項３】
請求項１または請求項２に記載の電池パックであって、
前記第１の電池の他端と前記ダイオードとの接続点が抵抗を介して前記負荷の他端と前記第２のスイッチの一端との接続点に接続される
ことを特徴とする電池パック。
【請求項４】
請求項１または請求項２に記載の電池パックであって、
前記第１の電池の一端が抵抗を介して前記負荷の一端と前記第１のスイッチの一端との接続点に接続される
ことを特徴とする電池パック。
【請求項５】
請求項１または請求項２に記載の電池パックであって、
前記第１の電池の他端が抵抗を介して前記負荷の他端と前記ダイオードとの接続点に接続される
ことを特徴とする電池パック。
【請求項６】
請求項３〜５の何れか一項に記載の電池パックであって、
前記抵抗の抵抗値は、前記第１のスイッチの抵抗成分と前記第２のスイッチの抵抗成分との合計と同じ値である
ことを特徴とする電池パック。
【発明の詳細な説明】
【技術分野】
【０００１】
本発明は、複数の電池を備える電池パックに関する。
【背景技術】
【０００２】
複数の電池を備える電池パックとして、例えば、第１の電池の正極端子と第２の電池の正極端子との間に第１のスイッチが接続され、第１の電池の負極端子と第２の電池の負極端子との間に第２のスイッチが接続され、第１の電池の負極端子と第２のスイッチとの接続点と、第２の電池の正極端子と第１のスイッチとの接続点との間に第３のスイッチが接続され、第１及び第２の電池の並列接続時、第１及び第２のスイッチが導通されるとともに第３のスイッチが遮断され、第１及び第２の電池の直列接続時、第１及び第２のスイッチが遮断されるとともに第３のスイッチが導通されるものがある。関連する技術として、例えば、特許文献１がある。
【０００３】
このように構成される電池パックでは、電池パックから負荷への電力供給時（第１及び第２の電池の放電時）、第１及び第２の電池が並列接続され、充電器から電池パックへの電力供給時（第１及び第２の電池の充電時）、第１及び第２の電池が直列接続される。
【先行技術文献】
【特許文献】
【０００４】
【特許文献１】特開平８−１７２７３３号公報
【発明の概要】
【発明が解決しようとする課題】
【０００５】
しかしながら、上述のように構成される電池パックでは、電池パックから負荷への電力供給時（第１及び第２のスイッチの導通時）、第３のスイッチが誤動作して第３のスイッチも導通してしまうと、第１及び第２の電池のそれぞれの正極端子と負極端子が短絡してしまうという懸念がある。
【０００６】
本発明の一側面に係る目的は、各電池の並列接続と直列接続の切り替えのためのスイッチの誤動作による各電池の正極端子と負極端子の短絡を防止することが可能な電池パックを提供することである。
【課題を解決するための手段】
【０００７】
本発明に係る一つの形態である電池パックは、第１及び第２の電池と、第１及び第２のスイッチと、制御部と、ダイオードとを備える。
第１の電池は、第１及び第２の電池の並列接続時に一端が負荷の一端に接続され、第１及び第２の電池の並列接続時並びに第１及び第２の電池の直列接続時に他端が負荷の他端と接続される。
【０００８】
第１のスイッチは、一端が第１の電池の一端に接続され、他端が第２の電池の一端に接続される。
第２のスイッチは、一端が第１の電池の他端に接続され、他端が第２の電池の他端に接続される。
【０００９】
制御部は、第１及び第２の電池の並列接続時、第１及び第２のスイッチを導通させ、第１及び第２の電池の直列接続時、第１及び第２のスイッチを遮断させる。
ダイオードは、第１の電池の他端と第２の電池の一端との間に接続される。
【発明の効果】
【００１０】
本発明によれば、複数の電池を備える電池パックにおいて、各電池の並列接続と直列接続の切り替えのためのスイッチの誤動作による各電池の正極端子と負極端子の短絡を防止することができる。
【図面の簡単な説明】
【００１１】
【図１】実施形態の電池パックの一例を示す図である。
【図２】制御部の動作の一例を示すフローチャートである。
【図３】実施形態の電池パックの変形例１を示す図である。
【図４】実施形態の電池パックの変形例２を示す図である。
【図５】実施形態の電池パックの変形例３を示す図である。
【図６】実施形態の電池パックの変形例４を示す図である。
【図７】実施形態の電池パックの変形例５を示す図である。
【図８】実施形態の電池パックの変形例６を示す図である。
【図９】実施形態の電池パックの変形例７を示す図である。
【発明を実施するための形態】
【００１２】
以下図面に基づいて実施形態について詳細を説明する。
図１は、実施形態の電池パックの一例を示す図である。
図１に示す電池パック１は、電池Ｂ１（第１の電池）と、電池Ｂ２（第２の電池）と、スイッチＳＷ１（第１のスイッチ）と、スイッチＳＷ２（第２のスイッチ）と、スイッチＳＷ３（第３のスイッチ）と、ダイオードＤと、電池パック側端子Ｔｂ１と、電池パック側端子Ｔｂ２と、電池パック側端子Ｔｂ３と、制御部１１とを備える。なお、電池パック１は、例えば、電動フォークリフトやプラグインハイブリッド車などの車両に搭載されるものとする。また、図１に示す負荷Ｌｏは、例えば、走行用モータを駆動するためのインバータとする。
【００１３】
ジャンパプラグＰｊは、電池パック１に着脱可能に構成され、電池パック１から負荷Ｌｏへの電力供給時（電池Ｂ１、Ｂ２の放電時）、ユーザによって電池パック１に接続される。また、ジャンパプラグＰｊは、充電器２から電池パック１への電力供給時（電池Ｂ１、Ｂ２の充電時）、ユーザによって電池パック１から外される。また、ジャンパプラグＰｊは、ジャンパプラグ側端子Ｔｊ１と、ジャンパプラグ側端子Ｔｊ２と、ジャンパ線Ｌｊとを備える。ジャンパプラグ側端子Ｔｊ１とジャンパプラグ側端子Ｔｊ２はジャンパ線Ｌｊを介して互いに接続される。
【００１４】
充電器２は、充電ケーブルＣｃと、その充電ケーブルＣｃの先端に設けられる充電プラグＰｃとを備える。
充電プラグＰｃは、電池パック１に着脱可能に構成され、充電器２から電池パック１への電力供給時、ユーザによって電池パック１に接続される。また、充電プラグＰｃは、電池パック１から負荷Ｌｏへの電力供給時、ユーザによって電池パック１から外される。また、充電プラグＰｃは、充電プラグ側端子Ｔｃ１と、充電プラグ側端子Ｔｃ２とを備える。充電プラグ側端子Ｔｃ１は、充電ケーブルＣｃを介して充電器２の正極端子Ｔｃ＋に接続され、充電プラグ側端子Ｔｃ２は、充電ケーブルＣｃを介して充電器２の負極端子Ｔｃ−に接続される。
【００１５】
電池Ｂ１、Ｂ２は、例えば、リチウムイオン電池やニッケル水素電池などの二次電池により構成される。また、電池Ｂ１、Ｂ２は、それぞれ、互いに直列接続される複数の二次電池により構成されてもよいし、互いに並列接続される複数の二次電池により構成されてもよいし、互いに直列接続される複数の二次電池で構成される組電池が複数互いに並列接続されて構成されてもよい。
【００１６】
スイッチＳＷ１〜ＳＷ３は、例えば、電磁式リレーやＭＯＳＦＥＴ（Metal Oxide Semiconductor Field Effect Transistor）などの半導体リレーにより構成される。スイッチＳＷ１は、一端が電池Ｂ１の正極端子（一端）に接続され、他端が電池Ｂ２の正極端子（一端）に接続される。スイッチＳＷ２は、一端が電池Ｂ１の負極端子（他端）に接続され、他端が電池Ｂ２の負極端子（他端）に接続される。スイッチＳＷ３は、一端が電池パック側端子Ｔｂ３に接続され、他端が電池Ｂ２の負極端子に接続される。
【００１７】
ダイオードＤは、電池Ｂ１の負極端子と電池Ｂ２の正極端子との間に接続される。すなわち、ダイオードＤは、アノードが電池Ｂ１の負極端子とスイッチＳＷ２の一端に接続され、カソードが電池Ｂ２の正極端子とスイッチＳＷ１の他端に接続される。
【００１８】
電池パック側端子Ｔｂ１は、負荷Ｌｏの正極端子Ｔｌ＋（一端）に接続される。なお、負荷Ｌｏの負極端子Ｔｌ−（他端）は、スイッチＳＷ２の一端や電池Ｂ１の負極端子とダイオードＤのアノードとの接続点に接続されている。
【００１９】
電池パック側端子Ｔｂ２は、電池Ｂ１の正極端子及びスイッチＳＷ１の一端に接続される。
制御部１１は、例えば、ＣＰＵ（Central Processing Unit）、マルチコアＣＰＵ、プログラマブルなデバイス（ＦＰＧＡ（Field Programmable Gate Array）やＰＬＤ（Programmable Logic Device）など）により構成される。
【００２０】
図２は、制御部１１の動作の一例を示すフローチャートである。
まず、制御部１１は、電池Ｂ１、Ｂ２の並列接続時（Ｓ１：Ｙｅｓ）、スイッチＳＷ１、ＳＷ２を導通させるともに、スイッチＳＷ３を遮断させる（Ｓ２）。
【００２１】
一方、制御部１１は、電池Ｂ１、Ｂ２の直列接続時（Ｓ１：Ｎｏ、Ｓ３：Ｙｅｓ）、スイッチＳＷ１、ＳＷ２を遮断させるとともに、スイッチＳＷ３を導通させる（Ｓ４）。
また、制御部１１は、電池Ｂ１、Ｂ２の並列接続時でもなく、電池Ｂ１、Ｂ２の直列接続時でもない場合（Ｓ１：Ｎｏ、Ｓ３：Ｎｏ）、例えば、スイッチＳＷ１〜ＳＷ３をすべて遮断させる。
【００２２】
なお、図１に示す電池パック１において、スイッチＳＷ３を省略してもよい。スイッチＳＷ３を省略する場合、図２において、制御部１１は、電池Ｂ１、Ｂ２の並列接続時（Ｓ１：Ｙｅｓ）、スイッチＳＷ１、ＳＷ２を導通させる（Ｓ２）。また、制御部１１は、電池Ｂ１、Ｂ２の直列接続時（Ｓ１：Ｎｏ、Ｓ３：Ｙｅｓ）、スイッチＳＷ１、ＳＷ２を遮断させる（Ｓ４）。また、スイッチＳＷ３を省略する場合、電池Ｂ２の負極端子は、電池パック側端子Ｔｂ３に直接接続される。
【００２３】
例えば、制御部１１は、ジャンパプラグＰｊが電池パック１に接続されていることを検知している状態で負荷Ｌｏから電力要求を受け取ると、電池Ｂ１、Ｂ２の並列接続時であると判断し、スイッチＳＷ１、ＳＷ２を導通させるとともに、スイッチＳＷ３を遮断させる。なお、制御部１１は、ジャンパプラグＰｊが電池パック１に接続されていることを検知すると、電池Ｂ１、Ｂ２の並列接続時であると判断してもよい。
【００２４】
ジャンパプラグＰｊが電池パック１に接続されると、電池パック側端子Ｔｂ１とジャンパプラグ側端子Ｔｊ１が電気的に接続されるとともに、電池パック側端子Ｔｂ２とジャンパプラグ側端子Ｔｊ２が電気的に接続される。また、スイッチＳＷ１、ＳＷ２が導通すると、電池Ｂ１の正極端子と電池Ｂ２の正極端子が電気的に接続され、電池Ｂ１の負極端子と電池Ｂ２の負極端子が電気的に接続される。
【００２５】
すると、電池Ｂ１の正極端子がジャンパ線Ｌｊを介して負荷Ｌｏの正極端子Ｔｌ＋に電気的に接続され、電池Ｂ２の正極端子がスイッチＳＷ１及びジャンパ線Ｌｊを介して負荷Ｌｏの正極端子Ｔｌ＋に電気的に接続され、電池Ｂ２の負極端子がスイッチＳＷ２を介して負荷Ｌｏの負極端子Ｔｌ−に電気的に接続される。なお、電池Ｂ１の負極端子は、電池Ｂ１、Ｂ２の並列接続時及び電池Ｂ１、Ｂ２の直列接続時において、負荷Ｌｏの負極端子Ｔｌ−に接続される。言い換えると、電池Ｂ１の負極端子は常に負荷Ｌｏの負極端子Ｔｌ−に接続される。
【００２６】
このように、ジャンパプラグＰｊが電池パック１に接続された状態でスイッチＳＷ１、ＳＷ２が導通すると、並列接続された電池Ｂ１、Ｂ２から負荷Ｌｏへ電力を供給することが可能な状態になる。そして、電池Ｂ１、Ｂ２から負荷Ｌｏへ電力が供給されると、電池Ｂ１の正極端子からジャンパ線Ｌｊ及び負荷Ｌｏを介して電池Ｂ１の負極端子へ電流が流れるとともに、電池Ｂ２の正極端子からスイッチＳＷ１、ジャンパ線Ｌｊ、負荷Ｌｏ、及びスイッチＳＷ２を介して電池Ｂ２の負極端子へ電流が流れる。
【００２７】
例えば、制御部１１は、充電プラグＰｃが電池パック１に接続されていることを検知している状態で充電器２から充電指示を受け取ると、電池Ｂ１、Ｂ２の直列接続時であると判断し、スイッチＳＷ１、ＳＷ２を遮断させるとともに、スイッチＳＷ３を導通させる。なお、制御部１１は、充電プラグＰｃが電池パック１に接続されていることを検知すると、電池Ｂ１、Ｂ２の直列接続時であると判断してもよい。
【００２８】
充電プラグＰｃが電池パック１に接続されると、電池パック側端子Ｔｂ２と充電プラグ側端子Ｔｃ１とが電気的に接続されるとともに、電池パック側端子Ｔｂ３と充電プラグ側端子Ｔｃ２とが電気的に接続される。また、スイッチＳＷ３の一端が充電器２（充電プラグ側端子Ｔｃ２）に接続されるため、スイッチＳＷ３が導通すると、電池Ｂ２の他端（負極端子）と充電器２（充電プラグ側端子Ｔｃ２）とが電気的に接続される。
【００２９】
すると、電池Ｂ１の正極端子が充電プラグＰｃ及び充電ケーブルＣｃを介して充電器２の正極端子Ｔｃ＋に電気的に接続されるとともに、電池Ｂ２の負極端子がスイッチＳＷ３、充電プラグＰｃ、及び充電ケーブルＣｃを介して充電器２の負極端子Ｔｃ−に電気的に接続される。
【００３０】
このように、充電プラグＰｃが電池パック１に接続された状態でスイッチＳＷ１、ＳＷ２が遮断するとともに、スイッチＳＷ３が導通すると、充電器２から直列接続された電池Ｂ１、Ｂ２への電力を供給することが可能な状態になる。そして、充電器２から電池Ｂ１、Ｂ２へ電力が供給されると、充電器２の正極端子Ｔｃ＋から電池Ｂ１、ダイオードＤ、電池Ｂ２、及びスイッチＳＷ３を介して充電器２の負極端子Ｔｃ−へ電流が流れる。
【００３１】
図１に示す電池パック１では、電池Ｂ１と電池Ｂ２との間にスイッチではなくダイオードＤが接続されるため、電池Ｂ１と電池Ｂ２との間に接続されるスイッチが誤動作するということがなく、スイッチの誤動作による電池Ｂ１の正極端子と負極端子の短絡や電池Ｂ２の正極端子と負極端子の短絡を防止することができる。また、ダイオードＤのアノードが電池Ｂ１の負極端子に接続され、ダイオードＤのカソードが電池Ｂ２の正極端子に接続されるため、電池パック１にジャンパプラグＰｊや充電プラグＰｃが接続されていない状態（並列接続時でも直列接続時でもないのでスイッチＳＷ１とＳＷ２が遮断状態）において、電池パック側端子Ｔｂ２と電池パック側端子Ｔｂ３とが互いに電気的に接続されても、電池パック側端子Ｔｂ２と電池パック側端子Ｔｂ３との間に電流が流れることを防止することができる。
【００３２】
また、図１に示す電池パック１では、電池Ｂ１の負極端子が負荷Ｌｏの負極端子Ｔｌ−に直接接続され、電池Ｂ２の負極端子がスイッチＳＷ２を介して負荷Ｌｏの負極端子Ｔｌ−に接続されるため、電池Ｂ１、Ｂ２の充電が終了した直後にジャンパプラグＰｊが電池パック１に接続されたとしても、充電終了直後にまだ残っている電池Ｂ１、Ｂ２全体の電圧ではなく、充電終了直後にまだ残っている電池Ｂ１の電圧分だけが負荷Ｌｏにかかるようにすることができる。
【００３３】
また、図１に示す電池パック１では、電池パック側端子Ｔｂ３と電池Ｂ２の負極端子との間にスイッチＳＷ３が接続されるため、電池Ｂ１、Ｂ２の充電時に充電器２が故障するなどして充電器２から電池パック１へ過電流が流れそうになっても、スイッチＳＷ３を遮断することで、電池Ｂ１、Ｂ２に過電流が流れることを防止することができる。
【００３４】
本発明は、以上の実施の形態に限定されるものでなく、本発明の要旨を逸脱しない範囲内で種々の改良、変更が可能である。
＜変形例１＞
図３は、図１に示す電池パック１の変形例１を示す図である。
【００３５】
図３に示す電池パック１において、図１に示す電池パック１と異なる点は、電池Ｂ１の負極端子とダイオードＤのアノードとの接続点が抵抗Ｒを介して負荷Ｌｏの負極端子Ｔｌ−とスイッチＳＷ２の一端との接続点に接続される点である。言い換えると、抵抗Ｒの一端は電池Ｂ１の負極端子とダイオードＤのアノードとの接続点に接続され、他端は負荷Ｌｏの負極端子Ｔｌ−とスイッチＳＷ２の一端との接続点に接続される。
【００３６】
図３に示す電池パック１では、並列接続された電池Ｂ１、Ｂ２から負荷Ｌｏへ電力が供給される際、電池Ｂ１の正極端子からジャンパ線Ｌｊ、負荷Ｌｏ、及び抵抗Ｒを介して電池Ｂ１の負極端子へ電流が流れるとともに、電池Ｂ２の正極端子からスイッチＳＷ１、ジャンパ線Ｌｊ、負荷Ｌｏ、及びスイッチＳＷ２を介して電池Ｂ２の負極端子へ電流が流れる。
【００３７】
このように構成される図３に示す電池パック１において、例えば、抵抗Ｒの抵抗値を、スイッチＳＷ１の抵抗成分とスイッチＳＷ２の抵抗成分との合計と同じ値にすることで、電池Ｂ１、Ｂ２の並列接続時に、電池Ｂ１から負荷Ｌｏへ流れる電流を、電池Ｂ２から負荷Ｌｏへ流れる電流と同じ値または略同じ値になるように調整することができる。
【００３８】
また、図３に示す電池パック１においても、図１に示す電池パック１により得られる上記効果と同様の効果を得ることができる。
＜変形例２＞
図４は、図１に示す電池パック１の変形例２を示す図である。
【００３９】
図４に示す電池パック１において、図１に示す電池パック１と異なる点は、電池Ｂ１の正極端子が抵抗Ｒを介して負荷Ｌｏの正極端子Ｔｌ＋（電池パック側端子Ｔｂ２）とスイッチＳＷ１の一端との接続点に接続される点である。言い換えると、抵抗Ｒの一端は電池Ｂ１の正極端子に接続され、他端は負荷Ｌｏの正極端子Ｔｌ＋（電池パック側端子Ｔｂ２）とスイッチＳＷ１の一端との接続点に接続される。
【００４０】
図４に示す電池パック１では、並列接続された電池Ｂ１、Ｂ２から負荷Ｌｏへ電力が供給される際、電池Ｂ１の正極端子から抵抗Ｒ、ジャンパ線Ｌｊ、及び負荷Ｌｏを介して電池Ｂ１の負極端子へ電流が流れるとともに、電池Ｂ２の正極端子からスイッチＳＷ１、ジャンパ線Ｌｊ、負荷Ｌｏ、及びスイッチＳＷ２を介して電池Ｂ２の負極端子へ電流が流れる。
【００４１】
このように構成される図４に示す電池パック１において、図３に示す電池パック１と同様に、例えば、抵抗Ｒの抵抗値を、スイッチＳＷ１の抵抗成分とスイッチＳＷ２の抵抗成分との合計と同じ値にすることで、電池Ｂ１、Ｂ２の並列接続時に、電池Ｂ１から負荷Ｌｏへ流れる電流を、電池Ｂ２から負荷Ｌｏへ流れる電流と同じ値または略同じ値になるように調整することができる。
【００４２】
また、図４に示す電池パック１においても、図１に示す電池パック１により得られる上記効果と同様の効果を得ることができる。
＜変形例３＞
図５は、図１に示す電池パック１の変形例３を示す図である。
【００４３】
図５に示す電池パック１において、図１に示す電池パック１と異なる点は、電池Ｂ１の負極端子が抵抗Ｒを介して負荷Ｌｏの負極端子Ｔｌ−とダイオードＤのアノードとの接続点に接続される点である。言い換えると、抵抗Ｒの一端は電池Ｂ１の負極端子に接続され、他端は負荷Ｌｏの負極端子Ｔｌ−とダイオードＤのアノードとの接続点に接続される。
【００４４】
図５に示す電池パック１では、並列接続された電池Ｂ１、Ｂ２から負荷Ｌｏへ電力が供給される際、電池Ｂ１の正極端子からジャンパ線Ｌｊ、負荷Ｌｏ、及び抵抗Ｒを介して電池Ｂ１の負極端子へ電流が流れるとともに、電池Ｂ２の正極端子からスイッチＳＷ１、ジャンパ線Ｌｊ、負荷Ｌｏ、及びスイッチＳＷ２を介して電池Ｂ２の負極端子へ電流が流れる。
【００４５】
このように構成される図５に示す電池パック１において、図３に示す電池パック１や図４に示す電池パック１と同様に、例えば、抵抗Ｒの抵抗値を、スイッチＳＷ１の抵抗成分とスイッチＳＷ２の抵抗成分との合計と同じ値にすることで、電池Ｂ１、Ｂ２の並列接続時に、電池Ｂ１から負荷Ｌｏへ流れる電流を、電池Ｂ２から負荷Ｌｏへ流れる電流と同じ値または略同じ値になるように調整することができる。
【００４６】
また、図５に示す電池パック１においても、図１に示す電池パック１により得られる上記効果と同様の効果を得ることができる。
＜変形例４＞
図６は、図１に示す電池パック１の変形例４を示す図である。
【００４７】
図６に示す電池パック１において、図１に示す電池パック１と異なる点は、電池Ｂ１の正極端子と負極端子を反対にし、電池Ｂ２の正極端子と負極端子を反対にし、ダイオードＤのカソードとアノードを反対にしている点である。
【００４８】
すなわち、スイッチＳＷ１（第１のスイッチ）は、一端が電池Ｂ１（第１の電池）の負極端子（一端）に接続され、他端が電池Ｂ２（第２の電池）の負極端子（一端）に接続される。また、スイッチＳＷ２（第２のスイッチ）は、一端が電池Ｂ１の正極端子（他端）に接続され、他端が電池Ｂ２の正極端子（他端）に接続される。
【００４９】
また、ダイオードＤは、カソードが電池Ｂ１の正極端子とスイッチＳＷ２の一端に接続され、アノードが電池Ｂ２の負極端子とスイッチＳＷ１の他端に接続される。
また、電池パック側端子Ｔｂ１は、負荷Ｌｏの負極端子Ｔｌ−（一端）に接続される。
【００５０】
また、電池パック側端子Ｔｂ２は、電池Ｂ１の負極端子及びスイッチＳＷ１の一端に接続される。
また、電池Ｂ１の正極端子は、電池Ｂ１、Ｂ２の並列接続時及び電池Ｂ１、Ｂ２の直列接続時において、負荷Ｌｏの正極端子Ｔｌ＋（他端）に接続される。
【００５１】
また、充電プラグ側端子Ｔｃ１は、充電器２の負極端子Ｔｃ−に接続される。
また、充電プラグ側端子Ｔｃ２は、充電器２の正極端子Ｔｃ＋に接続される。
このように構成される図６に示す電池パック１においても、図１に示す電池パック１により得られる上記効果と同様の効果を得ることができる。
＜変形例５＞
図７は、図３に示す電池パック１の変形例５を示す図である。
【００５２】
図７に示す電池パック１において、図３に示す電池パック１と異なる点は、電池Ｂ１の正極端子と負極端子とを反対にし、電池Ｂ２の正極端子と負極端子とを反対にし、ダイオードＤのアノードとカソードとを反対にしている点である。
【００５３】
すなわち、スイッチＳＷ１（第１のスイッチ）は、一端が電池Ｂ１（第１の電池）の負極端子（一端）に接続され、他端が電池Ｂ２（第２の電池）の負極端子（一端）に接続される。また、スイッチＳＷ２（第２のスイッチ）は、一端が抵抗Ｒを介して電池Ｂ１の正極端子（他端）に接続され、他端が電池Ｂ２の正極端子（他端）に接続される。言い換えると、電池Ｂ１の正極端子とダイオードＤのカソードとの接続点が抵抗Ｒを介して負荷Ｌｏの正極端子Ｔｃ＋（他端）とスイッチＳＷ２の一端との接続点に接続される。さらに言い換えると、電池Ｂ１の正極端子は、電池Ｂ１、Ｂ２の並列接続時及び電池Ｂ１、Ｂ２の直列接続時において、抵抗Ｒを介して、負荷Ｌｏの正極端子Ｔｌ＋（他端）に接続される。
【００５４】
また、ダイオードＤは、カソードが電池Ｂ１の正極端子と抵抗Ｒの一端に接続され、アノードが電池Ｂ２の負極端子とスイッチＳＷ１の他端に接続される。
また、電池パック側端子Ｔｂ１は、負荷Ｌｏの負極端子Ｔｌ−（一端）に接続される。
【００５５】
また、電池パック側端子Ｔｂ２は、電池Ｂ１の負極端子及びスイッチＳＷ１の一端に接続される。
また、充電プラグ側端子Ｔｃ１は、充電器２の負極端子Ｔｃ−に接続される。
【００５６】
また、充電プラグ側端子Ｔｃ２は、充電器２の正極端子Ｔｃ＋に接続される。
このように構成される図７に示す電池パック１においても、図１に示す電池パック１により得られる上記効果や図３に示す電池パック１により得られる上記効果と同様の効果を得ることができる。
＜変形例６＞
図８は、図４に示す電池パック１の変形例６を示す図である。
【００５７】
図８に示す電池パック１において、図４に示す電池パック１と異なる点は、電池Ｂ１の正極端子と負極端子とを反対にし、電池Ｂ２の正極端子と負極端子を反対にし、ダイオードＤのアノードとカソードとを反対にしている点である。
【００５８】
すなわち、スイッチＳＷ１（第１のスイッチ）は、一端が抵抗Ｒを介して電池Ｂ１（第１の電池）の負極端子（一端）に接続され、他端が電池Ｂ２（第２の電池）の負極端子（一端）に接続される。また、スイッチＳＷ２（第２のスイッチ）は、一端が電池Ｂ１の正極端子（他端）に接続され、他端が電池Ｂ２の正極端子（他端）に接続される。言い換えると、電池Ｂ１の負極端子が抵抗Ｒを介して負荷Ｌｏの負極端子Ｔｌ−（一端）とスイッチＳＷ１の一端との接続点に接続される。
【００５９】
また、ダイオードＤは、カソードが電池Ｂ１の正極端子とスイッチＳＷ２の一端に接続され、アノードが電池Ｂ２の負極端子とスイッチＳＷ１の他端に接続される。
また、電池パック側端子Ｔｂ１は、負荷Ｌｏの負極端子Ｔｌ−に接続される。
【００６０】
また、電池パック側端子Ｔｂ２は、抵抗Ｒの他端及びスイッチＳＷ１の一端に接続される。
また、電池Ｂ１の正極端子は、電池Ｂ１、Ｂ２の並列接続時及び電池Ｂ１、Ｂ２の直列接続時において、負荷Ｌｏの正極端子Ｔｌ＋（他端）に接続される。
【００６１】
また、充電プラグ側端子Ｔｃ１は、充電器２の負極端子Ｔｃ−に接続される。
また、充電プラグ側端子Ｔｃ２は、充電器２の正極端子Ｔｃ＋に接続される。
このように構成される図８に示す電池パック１においても、図１に示す電池パック１により得られる上記効果や図４に示す電池パック１により得られる上記効果と同様の効果を得ることができる。
＜変形例７＞
図９は、図５に示す電池パック１の変形例７を示す図である。
【００６２】
図９に示す電池パック１において、図５に示す電池パック１と異なる点は、電池Ｂ１の正極端子と負極端子とを反対にし、電池Ｂ２の正極端子と負極端子とを反対にし、ダイオードＤのアノードとカソードとを反対にしている点である。
【００６３】
すなわち、スイッチＳＷ１（第１のスイッチ）は、一端が電池Ｂ１（第１の電池）の負極端子（一端）に接続され、他端が電池Ｂ２（第２の電池）の負極端子（一端）に接続される。また、スイッチＳＷ２（第２のスイッチ）は、一端が抵抗Ｒを介して電池Ｂ１の正極端子（他端）に接続され、他端が電池Ｂ２の正極端子（他端）に接続される。言い換えると、電池Ｂ１の正極端子が抵抗Ｒを介して負荷Ｌｏの正極端子Ｔｌ＋（他端）とダイオードＤのカソードとの接続点に接続される。さらに言い換えると、電池Ｂ１の正極端子は、電池Ｂ１、Ｂ２の並列接続時及び電池Ｂ１、Ｂ２の直列接続時において、抵抗Ｒを介して、負荷Ｌｏの正極端子Ｔｌ＋（他端）に接続される。
【００６４】
また、ダイオードＤは、カソードが抵抗Ｒの他端とスイッチＳＷ２の一端に接続され、アノードが電池Ｂ２の負極端子とスイッチＳＷ１の他端に接続される。
また、電池パック側端子Ｔｂ１は、負荷Ｌｏの負極端子Ｔｌ−（一端）に接続される。
【００６５】
また、電池パック側端子Ｔｂ２は、電池Ｂ１の負極端子及びスイッチＳＷ１の一端に接続される。
また、充電プラグ側端子Ｔｃ１は、充電器２の負極端子Ｔｃ−に接続される。
【００６６】
また、充電プラグ側端子Ｔｃ２は、充電器２の正極端子Ｔｃ＋に接続される。
このように構成される図９に示す電池パック１においても、図１に示す電池パック１により得られる上記効果や図５に示す電池パック１により得られる上記効果と同様の効果を得ることができる。
【符号の説明】
【００６７】
１    電池パック
１１  制御部
２    充電器
Ｂ１、Ｂ２  電池
ＳＷ１〜ＳＷ３  スイッチ
Ｄ  ダイオード
Ｐｊ  ジャンパプラグ
Ｌｊ  ジャンパ線
Ｐｃ  充電プラグ
Ｌｏ  負荷
【図１】
2018125936.tif 000003
【図２】
2018125936.tif 000004
【図３】
2018125936.tif 000005
【図４】
2018125936.tif 000006
【図５】
2018125936.tif 000007
【図６】
2018125936.tif 000008
【図７】
2018125936.tif 000009
【図８】
2018125936.tif 000010
【図９】
2018125936.tif 000011